(57)【要約】【課題】 多方向調整可能な蝶番を提供する。【解決手段】多方向調整可能な蝶番はヘッド台１、連接台３、固定台４、連接軸５、バネ片６、第一調整凸輪７及び第二調整凸輪８を備える。ヘッド台１は納置室１１を備え、腕片２は相対する両端に凸輪部２１と接合部を設置する。腕片２はヘッド台１の納置室１１と連結し、連接台は相互に垂直な連接板３１と延伸台３２を備え、連接板３１には間隔を開けて相対する嵌合片３１１を設置し、腕片２の接合部は嵌合片３１１の間に嵌合する。折片４１末端は湾折しフランジ４１１を備え、固定台４は延伸台内に連結し、固定台４の凸部４２と延伸台の陥没部は第二調整凸輪８により連結し互動する。ヘッド台１の納置室１１中にはバネ片を固設し、バネ片は施力部を備え、腕片２に当接し停止する。【選択図】図1
0003138277.tif 000002
【実用新案登録請求の範囲】
【請求項１】
多方向調整可能な蝶番はヘッド台、腕片、連接台、固定台、連接軸、バネ片、第一調整凸輪、第二調整凸輪を備え、
前記ヘッド台は納置室を有し、
前記腕片は湾曲片体で、相対する両端を有し、一端には凸輪部を設置し、反対端には接合部を設置し、接合部には高低差を有する第一板体と第二板体を設置し、
前記連接台は相互に垂直な連接板と延伸台を有し、前記連接板には間隔を開けて相対する嵌合片を設置し、前記腕片の接合部は前記嵌合片の間に嵌合され、前記延伸台の中央位置には貫通孔を設置し、前記貫通孔に隣接する片側には陥没部を設置し、前記延伸台は両側壁を有し、前記側壁は内側に向かい凸体を設置し、
前記固定台は板体で、両側には折片を設置し、前記折片末端は湾曲しフランジを備え、両側折片の間には凸部を設置し、前記固定台は折片とそのフランジにより前記延伸台の側壁と陥没部の間に嵌設し、前記側壁内側の凸体により前記折片のフランジにおいて停止し、しかも前記凸部は前記延伸台の陥没部において接触し停止し、
前記連接軸は前記腕片の凸輪部とヘッド台を設け、前記腕片をヘッド台に可動に接続し、
前記バネ片は固定部と施力部を有し、前記固定部は前記ヘッド台の納置室中に固定され、前記施力部は前記腕片の凸輪部と当接して停止し、
前記第一調整凸輪は前記連接板の嵌合片の間を当接して停止し、前記腕片の接合部に当接し、
前記第二調整凸輪は前記延伸台の陥没部を当接し停止し、前記固定台の凸部に当接することを特徴とする多方向調整可能な蝶番。
【請求項２】
前記納置室内には固定片と停止体を設置し、バネ片の固定部において停止し、前記固定片は前記固定部を圧迫し固定することを特徴とする請求項１記載の多方向調整可能な蝶番。
【請求項３】
前記停止体は前記バネ片の固定部辺縁に対応することを特徴とする請求項２記載の多方向調整可能な蝶番。
【請求項４】
前記腕片の凸輪部位置には開槽を設置し、前記バネ片の施力部は開槽を連結し、前記凸輪部において停止することを特徴とする請求項１記載の多方向調整可能な蝶番。
【請求項５】
前記連接台の連接板は前記腕片の接合部の第一板体に相対し凸面を設置し、前記凸面上には第一長槽を設置し、前記接合部の第一板体には第一穿孔を設置し、前記第一調整凸輪は第一リベット接続端と第一凸輪体を有し、前記第一調整凸輪は前記第一リベット接続端により前記腕片の第一穿孔に連結し、前記第一凸輪体は前記連接板の第一長槽内に挿入することを特徴とする請求項１記載の多方向調整可能な蝶番。
【請求項６】
前記延伸台の陥没部には第二長槽を設置し、前記固定台の凸部には第二穿孔を設置し、前記第二調整凸輪には第二リベット接続端と第二凸輪体を有し、前記第二調整凸輪は前記第二リベット接続端により前記固定台の第二穿孔に連結し、前記第二凸輪体は前記延伸台の第二長槽内に挿入することを特徴とする請求項１記載の多方向調整可能な蝶番。
【請求項７】
前記固定台片側には２枚の停止凸片及び長孔を設置することを特徴とする請求項１記載の多方向調整可能な蝶番。
【考案の詳細な説明】
【技術分野】
【０００１】
本考案は一種の多方向調整可能な蝶番に関する。特に一種の調整機構の組合せ構造位置がより堅固で、しかも組成部品をシンプルかつ精密にすることができる多方向調整可能な蝶番に係る。
【背景技術】
【０００２】
一般の家具の蝶番は、通常クローゼットに使用され、その基本構造は、ヘッド台、延長腕及び固定台を含む。延長腕はヘッド台に枢設して開くことができ、ヘッド台は通常ドア板等物品に固定される。また延伸腕は、クローゼット上の固定台に固定して連接し、しかもヘッド台内には弾性部品を設置して延長腕に力を加えると、ドア板でクローゼットを遮蔽する時に閉鎖力を具える。
この種の家具クローゼットの蝶番設計は、更に組み立てる時に、Ｘ、Ｙ、Ｚ軸の多方向調整機能を具える。例として下記の米国特許を提示する。
【特許文献１】米国特許第６４７０５３１号明細書
【特許文献２】米国特許第６６４３８９５号明細書
【特許文献３】米国特許第６６４７５９１号明細書
【特許文献４】米国特許第６６９４５６７号明細書
【特許文献５】米国特許第６７７９２３３号明細書
【特許文献６】米国特許第６８４５５４４号明細書
【特許文献７】米国特許第６８８０２０５号明細書
【考案の開示】
【考案が解決しようとする課題】
【０００３】
上記多方向調整可能な蝶番の内、特許文献２、特許文献４（特許文献２のＣＩＰ案）と特許文献７の調整凸輪を備える結合構造には一定期間の使用により緩みの問題が発生する。しかも特許文献７の設計が掲示する部品５と部品３は挿入ピンにより連接する必要があり、組立てが面倒である。
本考案は上記構造の問題点を解決した多方向調整可能な蝶番を提供するものである。
【課題を解決するための手段】
【０００４】
上記課題を解決するため、本考案は下記の多方向調整可能な蝶番を提供する。それは主に多方向調整可能な蝶番を提供し、蝶番調整構造が緩み易いという問題を解決し、しかも全体構造はよりシンプルで精緻となり、製造コストを低減可能で、すなわち多方向調整可能な蝶番はヘッド台、腕片、連接台、固定台、連接軸、バネ片、第一調整凸輪及び第二調整凸輪を含む。該ヘッド台は納置室を備え、該腕片は相対する両端を備え、一端には凸輪部を設置し、反対端には接合部を設置し、該腕片は該凸輪部により該ヘッド台の納置室に挿入し、連接軸により穿接し、該接合部には高低差を備える第一板体と第二板体を設置する。
【０００５】
該連接台は相互に垂直な連接板と延伸台を備え、該連接板には間隔を開けて相対する嵌合片を設置し、これにより該腕片の接合部は該嵌合片の間に嵌合し、しかも該腕片の接合部と連接板該第一調整凸輪により連結し互動し、該延伸台の中央位置には貫通孔を設置し、該貫通孔に隣接する片側には陥没部を設置し、該延伸台はさらに両側壁を備え、該側壁上には凸体を設置する。該固定台には両折片と凸部を設置し、該折片末端は湾曲しフランジを備え、該固定台は該折片とそのフランジにより該延伸台の側壁と陥没部の間に嵌設し、該側壁の凸体により該折片のフランジにおいて停止し、しかも該凸部は該延伸台の陥没部において接触し停止し、該第二調整凸輪により連結互動する。該バネ片は該固定部により該ヘッド台の納置室中に固定され、さらに施力部を備え該腕片を連結し停止し、該納置室内には固定片と停止体を設置し、該バネ片の固定部において停止し、該固定片は該固定部を圧迫し固定し、該停止体は該バネ片の固定部辺縁に対応し、該腕片の凸輪部位置には開槽を設置し、該バネ片の施力部は開槽を連結し、該凸輪部において停止する。
【０００６】
該連接台の連接板は該腕片の接合部の第一板体に相対し凸面を設置し、該凸面上には第一長槽を設置し、該接合部の第一板体には第一穿孔を設置し、該第一調整凸輪は第一リベット接続端と第一凸輪体を備え、該第一調整凸輪は該第一リベット接続端により該第一穿孔に連結し、しかも該第一凸輪体は該第一長槽内に進入し、該延伸台の陥没部には第二長槽を設置する。該固定台の凸部には第二穿孔を設置し、該第二調整凸輪には第二リベット接続端と第二凸輪体を備え、該第二調整凸輪は該第二リベット接続端により該第二穿孔に連結し、しかも該第二凸輪体は該第二長槽内に進入し、該固定台片側には２枚の停止凸片及び長孔を設置することを特徴とする多方向調整可能な蝶番を提供する。
（考案の効果）
【０００７】
上記のように、本考案は公知技術に比べ以下の長所を備える。すなわち、連接台の延伸台の側壁は固定台の折片のフランジに緊密に嵌設でき、しかも延伸台の側壁には凸体を直接成型するため、該折片のフランジをさらに嵌設し停止することができる。これにより、その結合は堅固となり、しかも別に連接部品を増設する必要はない。
【考案を実施するための最良の形態】
【０００８】
以下に本考案の最適な実施形態を図面と共に説明する。
図１と図２に示すように、本考案具体的実施例はヘッド台１、腕片２、連接台３、固定台４、連接軸５、バネ片６、第一調整凸輪７及び第二調整凸輪８を含む。該ヘッド台１は納置室１１を備え、該納置室１１の底面には固定片１２と停止体１３を設置する。
該腕片２は湾曲片体で、相対する両端を備え、一端には凸輪部２１を設置し、反対端には接合部２２を設置する。該接合部２２には高低差を備える第一板体２２１と第二板体２２２を設置し、しかも該腕片２の該凸輪部２１に隣接する位置には開槽２３を設置する。該接合部２２の第一板体２２１には第一穿孔２２１１を設置する。
【０００９】
該連接台３（合わせて図３参照）には相互に垂直な連接板３１と延伸台３２を備え、該連接板３１には間隔を開けて相対する嵌合片３１１を設置し、これにより上記腕片２の接合部２２は該嵌合片３１１の間に嵌設される。該連接板３１の嵌合片３１１の間には凸面３１２を設置し、該凸面３１２上には第一長槽３１２１を設置し、該延伸台３２中央位置には別に貫通孔３２１を設置する。該貫通孔３２１に隣接する片側には陥没部３２２を設置し、該陥没部３２２上には第二長槽３２２１を設置する。該延伸台３２は両側壁３２３を備え、該側壁３２３は内側に向かい凸体３２３１を設置する。
【００１０】
該固定台４は板体で、両側には両折片４１を設置する。該折片４１末端は湾曲しフランジ４１１を形成し、該両折片４１の間には凸部４２を設置する。該凸部４２上には第二穿孔４２１を設置する。図４に示すように、該固定台４は該折片４１とそのフランジ４１１により前記延伸台３２の側壁３２３と陥没部３２２の間に嵌設され、該側壁３２３内側の凸体３２３１により該折片41のフランジ４１１において停止し、しかも該凸部４２は該延伸台３２の陥没部３２２に接触停止する。さらに図３に示すように、該固定台４片側には２枚の停止凸片４３及び長孔４４を設置する。
【００１１】
該連接軸５は該腕片２の凸輪部２１とヘッド台１を穿接し、該腕片２を該ヘッド台１に可動接続する。
該バネ片６は固定部６１と施力部６２を含む。該固定部６１は該ヘッド台１の納置室１１底面に接触し、該停止体１２により該固定部６１辺縁において停止し、該固定片１３により該固定部６１を圧迫し固定する。該施力部６２は該腕片２の開槽２３を連結し、該凸輪部２１において停止する。
【００１２】
該第一調整凸輪７は前記連接板３１の嵌合片３１１の間に設け、該腕片２の接合部２２の第一板体２２１に連結する。該第一調整凸輪７は第一リベット接続端７１と第一凸輪体７２を備え、該第一調整凸輪７は該第一リベット接続端７１により該腕片２の第一穿孔２２１１に連結し、しかも該第一凸輪体７２は該連接板３１の第一長槽３１２１内に進入する。
【００１３】
該第二調整凸輪８は前記延伸台３２の陥没部３２２に連結し停止し、該固定台４の凸部４２に連結する。該第二調整凸輪８は第二リベット接続端８１と第二凸輪体８２を備え、該第二調整凸輪８は該第二リベット接続端８１により該固定台４の第二穿孔４２１に連結し、しかも該第二凸輪体８２は該延伸台３２の第二長槽３２２１内に進入する。
【００１４】
上記実施例をクローゼットに対応し組立てる時には、図５に示すように、本考案蝶番は該連接台３の連接板３１と該延伸台３２が相互に直角を呈し、該クローゼットの壁板９１に組み合わされ、しかも該固定台４の停止凸片４３を該クローゼットの壁板９１側端において停止させる。またネジ栓９１１により該固定台４の長孔４４を貫通し該壁板９１において螺固する。該クローゼットのドア板９２は該ヘッド台１に嵌設し、ネジ釘９２１により固定する。
【００１５】
本考案蝶番に調整動作を施す時には、図６に示すように、該ネジ栓９１１により該固定台４の長孔４４を貫通し、該壁板９１に螺合後、その螺合が不完全の状態では、蝶番全体は該固定台４の長孔４４の空隙により図中の座標が示すようなＺ方向の調整を行うことができる。
【００１６】
該連接台３を基準とした不動の状態下では、図７に示すように、該第一調整凸輪７を回転させると、該第一調整凸輪７の第一凸輪体７２は該連接板３１上の第一長槽３１２１に接触し、該第一調整凸輪７の第一リベット接続端７１を通して該腕片２と該ヘッド台１を連動し、図中の座標が示すようなＹ方向の移動を行うことができる。
【００１７】
また、該固定台４を基準とした不動の状態下では、図８に示すように、該第二調整凸輪８を回転させると、該第二調整凸輪８の第二凸輪体８２は該延伸台３２上の第二長槽３２２１を押上げ、こうして該連接台３は該腕片２と該ヘッド台１を連動し、図中の座標が示すようなＸ方向の移動を行うことができる。
【図面の簡単な説明】
【００１８】
【図１】本考案実施例の分解図である。
【図２】本考案実施例の組合せ図である。
【図３】腕片、連接台、固定台、第一調整凸輪及び第二調整凸輪を含む本考案実施例の別種の立体分解図である。
【図４】本考案実施例の連接台と固定台の組合せ断面図である。
【図５】本考案実施例をクローゼット壁板とドア板に設置する斜視図である。
【図６】本考案実施例の模式図である。
【図７】本考案実施例の模式図である。
【図８】本考案実施例の模式図である。
【符号の説明】
【００１９】
１：ヘッド台、１１：納置室、１２；固定片、１３：停止体、２：腕片、２１：凸輪部、２２：接合部２２１：第一板体、２２１１：第一穿孔、２２２：第二板体、２３：開槽、３：連接台、３１：連接板、３１１：嵌合片、３１２：凸面、３１２１：第一長槽、３２：延伸台、３２１：貫通孔、３２２：陥没部、３２２１：第二長槽、３２３：側壁、３２３１：凸体、４：固定台、４１：折片、４１１：フランジ、４２：凸部、４２１：第二穿孔、４３：停止凸片、４４：長孔、５：連接軸、６：バネ片、６１：固定部、６２：施力部、７：第一調整凸輪、７１：第一リベット接続端、７２：第一凸輪体、８：第二調整凸輪、８１：第二リベット接続端、８２：第二凸輪体、９１：壁板、９１１：ネジ栓、９２：ドア板、９２１：ネジ釘
【図１】
0003138277.tif 000003
【図２】
0003138277.tif 000004
【図３】
0003138277.tif 000005
【図４】
0003138277.tif 000006
【図５】
0003138277.tif 000007
【図６】
0003138277.tif 000008
【図７】
0003138277.tif 000009
【図８】
0003138277.tif 000010